(57)【要約】【課題】  新たに煩雑な手続きを行うことなく、内線登録作業を効率化可能な構内交換機を提供する。【解決手段】  ＩＰ−ＰＢＸ１は認証要求信号が通知されると、認証モードがパスワード認証モードであると判別すると、パスワードデータベース１２１を参照し、受信信号中のパスワードが内線登録用パスワードであるかどうかを判断する。ＩＰ−ＰＢＸ１は内線登録用パスワードであると判断すると、局データ１２に含まれるＭＡＣアドレスデータベース１２２へＭＡＣアドレス・内線番号・サービスクラスを書込み、一時記憶データ１３に含まれるＩＰ端末情報データベース１３１へＩＰ内線端末２のＩＰアドレスを書込む。この後、ＩＰ−ＰＢＸ１はＩＰ内線端末２に対し、認証成功メッセージを送信する。【選択図】      図２                                                  
2005117355.tif 000002
【特許請求の範囲】
【請求項１】
内線端末の情報を格納するデータベースを含み、前記データベースの格納内容を基に前記内線端末を管理する構内交換機であって、
前記内線端末からの認証要求信号を受付ける手段と、その受付けた認証要求信号の正当性を判別する手段と、正当と判別された認証要求信号の設定内容に応じて前記データベースにおける前記内線端末の情報の登録・削除を行う手段とを有することを特徴とする構内交換機。
【請求項２】
前記認証要求信号は、前記内線端末自身の端末固有番号と登録したい内線番号とを含むことを特徴とする請求項１記載の構内交換機。
【請求項３】
前記認証要求信号は、登録用信号及び削除用信号のいずれかであることを示すパスワードを含むことを特徴とする請求項１または請求項２記載の構内交換機。
【請求項４】
前記正当性を判別する手段は、前記登録用信号及び削除用信号のいずれかであることを示すパスワードの正当性を判別することを特徴とする請求項３記載の構内交換機。
【請求項５】
前記データベースは、前記端末固有番号と前記内線番号とを格納するアドレスデータベースと、前記パスワードを格納するパスワードデータベースとを含むことを特徴とする請求項４記載の構内交換機。
【請求項６】
ＩＰ（Ｉｎｔｅｒｎｅｔ  Ｐｒｏｔｏｃｏｌ）内線端末を管理するＩＰ−ＰＢＸ（Ｐｒｉｖａｔｅ  Ｂｒａｎｃｈ  ｅＸｃｈａｎｇｅ）であることを特徴とする請求項１から請求項５のいずれか記載の構内交換機。
【請求項７】
内線端末の情報を格納するデータベースを含み、前記データベースの格納内容を基に前記内線端末を管理する構内交換機の内線登録方法であって、前記構内交換機側に、前記内線端末からの認証要求信号を受付けるステップと、その受付けた認証要求信号の正当性を判別するステップと、正当と判別された認証要求信号の設定内容に応じて前記データベースにおける前記内線端末の情報の登録・削除を行うステップとを有することを特徴とする内線登録方法。
【請求項８】
前記認証要求信号は、前記内線端末自身の端末固有番号と登録したい内線番号とを含むことを特徴とする請求項７記載の内線登録方法。
【請求項９】
前記認証要求信号は、登録用信号及び削除用信号のいずれかであることを示すパスワードを含むことを特徴とする請求項７または請求項８記載の内線登録方法。
【請求項１０】
前記正当性を判別するステップは、前記登録用信号及び削除用信号のいずれかであることを示すパスワードの正当性を判別することを特徴とする請求項９記載の内線登録方法。
【請求項１１】
前記データベースは、前記端末固有番号と前記内線番号とを格納するアドレスデータベースと、前記パスワードを格納するパスワードデータベースとを含むことを特徴とする請求項１０記載の内線登録方法。
【請求項１２】
前記構内交換機は、ＩＰ（Ｉｎｔｅｒｎｅｔ  Ｐｒｏｔｏｃｏｌ）内線端末を管理するＩＰ−ＰＢＸ（Ｐｒｉｖａｔｅ  Ｂｒａｎｃｈ  ｅＸｃｈａｎｇｅ）であることを特徴とする請求項７から請求項１１のいずれか記載の内線登録方法。
【請求項１３】
内線端末の情報を格納するデータベースを含み、前記データベースの格納内容を基に前記内線端末を管理する構内交換機の内線登録方法のプログラムであって、前記構内交換機のコンピュータに、前記内線端末からの認証要求信号を受付けるステップと、その受付けた認証要求信号の正当性を判別する処理と、正当と判別された認証要求信号の設定内容に応じて前記データベースにおける前記内線端末の情報の登録・削除を行う処理とを実行させるためのプログラム。
【発明の詳細な説明】
【技術分野】
【０００１】
本発明は構内交換機及びそれに用いる内線登録方法並びにそのプログラムに関し、特にＩＰ（Ｉｎｔｅｒｎｅｔ  Ｐｒｏｔｏｃｏｌ）−ＰＢＸ（Ｐｒｉｖａｔｅ  Ｂｒａｎｃｈ  ｅＸｃｈａｎｇｅ）へのＩＰ内線端末の内線登録に関する。
【背景技術】
【０００２】
従来、ＩＰ−ＰＢＸにおいては、ＩＰ内線端末の内線登録を行う場合、保守者が予めＩＰ内線端末固有の番号［例えば、ＭＡＣ（Ｍｅｄｉａ  Ａｃｃｅｓｓ  Ｃｏｎｔｒｏｌ）アドレス］を読出す作業と、読出した固有番号を記録しておく作業と、それを専用保守端末からＩＰ−ＰＢＸ内に配設したデータベースに登録する作業とが必要である。
【０００３】
上記の３ステップはそれぞれ保守者が実施する必要があるが、登録するＩＰ内線端末数は年々増加傾向にある。また、端末固有番号は複数バイト（ＭＡＣアドレスの場合には６バイト）の類似性を持つ番号であり、登録作業時の記録時、記録からの読出し時のヒューマンエラーの誘発も懸念されており、より簡便な内線端末登録方法が求められている。
【０００４】
従来のＩＰ−ＰＢＸへのＩＰ内線登録方法を、図７を参照して説明する。このＩＰ内線登録方法でははじめに、保守者がＩＰ内線端末を操作し、当該ＩＰ内線端末の固有番号（ここではＭＡＣアドレス）を読出す（図７ステップＳ２１）。続いて、ＩＰ内線登録方法では読出したＭＡＣアドレスを別の場所に控えておく（図７ステップＳ２２）。
【０００５】
保守者はＩＰ−ＰＢＸの専用保守端末を操作し、上記の記録しておいたＭＡＣアドレスと当該端末に割り当てる内線番号とをＩＰ−ＰＢＸの局データ内のＭＡＣアドレスデータベースへ入力する（図７ステップＳ２３）。
【０００６】
その後に、ＩＰ内線端末は起動されると、自動的にＭＡＣ認証方式でＩＰ−ＰＢＸへ認証要求を送信する（図７ステップＳ２４）。ＩＰ−ＰＢＸはＭＡＣ認証方式でＩＰ内線端末を認証し（図７ステップＳ２５）、ＩＰ内線端末は局データに登録した内線番号で当該ＩＰ−ＰＢＸの内線端末として使用可能となる。
【０００７】
【特許文献１】特開２００１−２３７９６０号公報
【発明の開示】
【発明が解決しようとする課題】
【０００８】
しかしながら、上述した従来のＩＰ内線端末登録方法では、図７のステップＳ２１〜Ｓ２３に示すように、保守者の介在が不可欠のため、登録するＩＰ内線端末数に比例して作業量が増大するという問題がある。
【０００９】
また、従来のＩＰ内線端末登録方法では、ＭＡＣアドレスの記録及び読出し時に、保守者が介在することによるヒューマンエラーの可能性が大きいという問題がある。
【００１０】
さらに、従来のＩＰ内線端末登録方法では、利用者が新規に内線を使用する場合、専用保守端末を操作する保守者にその端末の登録を依頼しなければならないという問題がある。
【００１１】
一方、従来のＩＰ内線端末登録方法としては、上記の特許文献１に記載されたように、専用保守端末を使わず、内線端末から直接内線登録操作を行える方法がある。この方法では、内線端末から登録作業を行う場合、該当の内線端末から「特番＋登録したい内線端末と同様の端末種別を持つ端末の内線番号＋登録したい内線番号」をダイヤルする必要がある。
【００１２】
そこで、本発明の目的は上記の問題点を解消し、新たに煩雑な手続きを行うことなく、内線登録作業を効率化することができる構内交換機及びそれに用いる内線登録方法並びにそのプログラムを提供することにある。
【課題を解決するための手段】
【００１３】
本発明による構内交換機は、内線端末の情報を格納するデータベースを含み、前記データベースの格納内容を基に前記内線端末を管理する構内交換機であって、
前記内線端末からの認証要求信号を受付ける手段と、その受付けた認証要求信号の正当性を判別する手段と、正当と判別された認証要求信号の設定内容に応じて前記データベースにおける前記内線端末の情報の登録・削除を行う手段とを備えている。
【００１４】
本発明による内線登録方法は、内線端末の情報を格納するデータベースを含み、前記データベースの格納内容を基に前記内線端末を管理する構内交換機の内線登録方法であって、前記構内交換機側に、前記内線端末からの認証要求信号を受付けるステップと、その受付けた認証要求信号の正当性を判別するステップと、正当と判別された認証要求信号の設定内容に応じて前記データベースにおける前記内線端末の情報の登録・削除を行うステップとを備えている。
【００１５】
本発明による内線登録方法のプログラムは、内線端末の情報を格納するデータベースを含み、前記データベースの格納内容を基に前記内線端末を管理する構内交換機の内線登録方法のプログラムであって、前記構内交換機のコンピュータに、前記内線端末からの認証要求信号を受付けるステップと、その受付けた認証要求信号の正当性を判別する処理と、正当と判別された認証要求信号の設定内容に応じて前記データベースにおける前記内線端末の情報の登録・削除を行う処理とを実行させている。
【００１６】
すなわち、本発明の構内交換機は、ＩＰ（Ｉｎｔｅｒｎｅｔ  Ｐｒｏｔｏｃｏｌ）内線端末利用者が予め登録してあるパスワードを使用することによって、ＩＰ内線端末固有情報を端末から直接ＩＰ−ＰＢＸ（Ｐｒｉｖａｔｅ  Ｂｒａｎｃｈ  ｅＸｃｈａｎｇｅ）内のデータベースに登録及び削除可能としている。
【００１７】
本発明の構内交換機では、ＩＰ内線端末からの認証要求信号が正当と判別された時に、その信号に設定された内容に応じてＩＰ−ＰＢＸ内のデータベースへのＩＰ内線端末の情報の登録・削除を行うことによって、ＩＰ内線端末を登録・削除する場合に、ＩＰ−ＰＢＸ専用の保守端末からではなく、登録するＩＰ内線端末そのものからＩＰ−ＰＢＸに直接アクセスすることによって端末登録・削除が可能となる。
【００１８】
より具体的に説明すると、本発明の構内交換機では、ＩＰ内線端末が自身の端末固有番号［例えば、ＭＡＣ（Ｍｅｄｉａ  Ａｃｃｅｓｓ  Ｃｏｎｔｒｏｌ）アドレス］と登録したい内線番号とを含む認証要求信号を、登録用信号であることを示す特別なパスワードを付与して、ＩＰ−ＰＢＸに送信する。
【００１９】
ＩＰ−ＰＢＸではＩＰ内線端末登録制御部に含まれる信号受信部が信号を受信すると、パスワード解析部で局データに含まれるパスワードデータベースに問い合わせを行い、信号内に含まれるパスワードの正当性を判断する。パスワードデータベースは予めＩＰ−ＰＢＸ専用保守端末から設定されるものである。パスワードが登録用だった場合には、信号を情報登録部に送り、信号内からＭＡＣアドレスと内線番号とを読出して局データ内のＭＡＣアドレスデータベースに記録する。
【００２０】
また同時に、ＩＰアドレス等の一時的に必要な情報は読出して一時記憶データ内にあるＩＰ端末情報データベースに格納する。ＩＰ端末情報データベースのデータは、ＩＰ内線端末への呼制御時に必要な一時データを格納している。
【００２１】
上記のように、本発明の構内交換機では、ＩＰ−ＰＢＸ専用保守端末からでなく、登録したいＩＰ内線端末からの信号によって局データを更新することが可能になるため、従来、端末の登録・削除作業を行っていた保守作業者の作業工数を低減し、また利用者が端末を操作することによって内線登録・削除作業を行うことが可能となる。
【発明の効果】
【００２２】
本発明は、以下に述べるような構成及び動作とすることで、新たに煩雑な手続きを行うことなく、内線登録作業を効率化することができるという効果が得られる。
【発明を実施するための最良の形態】
【００２３】
次に、本発明の実施例について図面を参照して説明する。図１は本発明の一実施例によるＩＰ（Ｉｎｔｅｒｎｅｔ  Ｐｒｏｔｏｃｏｌ）−ＰＢＸ（Ｐｒｉｖａｔｅ  Ｂｒａｎｃｈ  ｅＸｃｈａｎｇｅ）システムの構成を示すブロック図である。図１において、本発明の一実施例によるＩＰ−ＰＢＸシステムはＩＰ−ＰＢＸ１と、ＩＰ内線端末２と、専用保守端末３−１，３−２とから構成されている。
【００２４】
ＩＰ−ＰＢＸ１はその内部にＩＰ内線端末登録制御部１１と、局データ１２と、一時記憶データ１３と、ＩＰ−ＰＢＸ１で実行されるプログラム（コンピュータで実行可能なプログラム）を記録する記録媒体１４とを備えており、イーサネット（Ｒ）を通じて外部にあるＩＰ内線端末２や専用保守端末３−２と通信することができる。専用保守端末３−１は専用ケーブルを用いてＩＰ−ＰＢＸ１と通信することができる。
【００２５】
図２は図１のＩＰ内線端末登録制御部１１の構成を示すブロック図である。図２において、ＩＰ内線端末登録制御部１１は信号受信部１１１と、パスワード解析部１１２と、情報登録部１１３とから構成されている。
【００２６】
信号受信部１１１はＩＰ内線端末２からの認証制御信号を受信し、信号の整合性の確認を行う。パスワード解析部１１２は局データ１２に含まれるパスワードデータベース１２１を参照して、受信した信号内に含まれるパスワードを解析する。情報登録部１１３は受信した認証要求信号から必要なＩＰ端末情報を読出し、ＭＡＣアドレスデータベース１２２及び一時記憶データ１３内のＩＰ端末情報データベース１３１へ書込みを行う。
【００２７】
ＩＰ端末情報データベース１３１はＩＰ内線端末２のＩＰアドレス情報を持つ。パスワードデータベース１２１とＭＡＣアドレスデータベース１２２とを含む局データ１２は、通常、専用保守端末３−１，３−２を使用して登録される。
【００２８】
図３は図２のパスワードデータベース１２１の構成例を示す図である。図３において、パスワードデータベース１２１ａはパスワード（「２０００」，「２００１」，・・・，「３００１」，「３００２」，・・・，「４００１」）と、用途（「ＩＰ内線２０００ログイン用」，「ＩＰ内線２００１ログイン用」，・・・，「ＩＰ内線データ登録用：サービス種別Ａ」，「ＩＰ内線データ登録用：サービス種別Ｂ」，・・・，「ＩＰ内線データ削除用」）とからなる。
【００２９】
本実施例に関連するパスワードとしては３種類あり、ＩＰ内線端末２がある内線番号で運用するための認証パスワード（以下、ログインパスワードとする）と、ＩＰ内線番号登録専用パスワード（以下、内線登録用パスワードとする）と、ＩＰ内線番号削除専用パスワード（以下、内線削除用パスワードとする）とがある。
【００３０】
内線登録用パスワードは、その内線に許可するサービスの種類（以下、サービス種別とする）によって予め複数用意しておく。また、内線削除用パスワードは１つ設定しておく。パスワードデータベース１２１は予め専用保守端末３−１，３−２を用いて設定される。
【００３１】
図４は図２のＭＡＣアドレスデータベース１２２の構成例を示す図である。図４において、ＭＡＣアドレスデータベース１２２ａは、内線番号、ＩＰ内線固有番号（ＭＡＣアドレス）、サービス種別、端末種別等の端末運用データが含まれている。
【００３２】
ＭＡＣアドレスデータベース１２２は予め専用保守端末３−１，３−２を用いて設定することも可能であるが、本実施例では、ＩＰ内線端末２から直接設定することも可能としている。
【００３３】
図５は本発明の一実施例による端末認証方法の処理動作を示すフローチャートである。これら図１〜図５を参照して本発明の一実施例による端末認証方法の処理動作について説明する。尚、図５に示す処理動作はＩＰ−ＰＢＸ１が記録媒体１４のプログラムを実行することで実現される。
【００３４】
はじめに、ＩＰ内線端末２をＩＰ−ＰＢＸ１の内線端末として使用する場合の端末認証方法について説明する。認証方法には以下の２種類がある。第１の認証方法は、ＩＰ−ＰＢＸ１のＭＡＣアドレスデータベース１２２に、予め当該ＩＰ端末の固有番号（ＭＡＣアドレス）と内線番号とを登録しておき、認証要求時にＭＡＣアドレスが登録されてあるものであった場合に、該当する内線番号でＩＰ内線端末２を起動する方法である。これをＭＡＣ認証モードと呼ぶ。
【００３５】
第２の認証方法は、ＩＰ−ＰＢＸ１のパスワードデータベース１２１に予めＩＰ内線端末として使用可能な内線番号と起動用パスワードとを設定しておき、ＩＰ内線端末２の認証要求時に、内線番号とそれに対するパスワードとが一致した場合に、要求された内線番号でＩＰ内線端末２を起動する方法である。これをパスワード認証モードと呼ぶ。これらの認証モードの指定はＩＰ内線端末２側で行われ、どちらのモードであるかは認証要求信号に含まれてＩＰ−ＰＢＸ１へ通知される。
【００３６】
次に、本実施例での内線登録時の処理動作を図５に示す。図５のモードは上記２つの認証モードと比較のため、内線登録モードと呼ぶことにする。ＩＰ−ＰＢＸ１には予め専用保守端末３−１，３−２を用いて、図５に示すような内線登録用のパスワード「３００１」，「３００２」をパスワードデータベース１２１に設定されている。
【００３７】
ＩＰ内線端末２はパスワード認証モードに設定し、登録したい内線番号「２００１」、パスワードを内線登録用の「３００１」に設定してＩＰ−ＰＢＸ１に対して認証要求信号を送信する。
【００３８】
ＩＰ−ＰＢＸ１は認証要求信号が通知されると（図５ステップＳ１）、認証モードがパスワード認証モードかどうかを判別する（図５ステップＳ２）。ＩＰ−ＰＢＸ１はパスワード認証モードと判定すると、パスワードデータベース１２１を参照し、受信信号中のパスワードが内線登録用パスワードであるかどうかを判断する（図５ステップＳ３）。
【００３９】
ＩＰ−ＰＢＸ１は内線登録用パスワードであると判断すると、局データ１２に含まれるＭＡＣアドレスデータベース１２２へＭＡＣアドレス・内線番号・サービスクラスを書込む（図５ステップＳ４）。ＩＰ−ＰＢＸ１は、上記のＭＡＣ認証モード・パスワード認証モードと同様に、一時記憶データ１３に含まれるＩＰ端末情報データベース１３１へＩＰ内線端末２のＩＰアドレスを書込む（図５ステップＳ５）。最後に、ＩＰ−ＰＢＸ１はＩＰ内線端末２に対し、認証成功メッセージを送信する（図５ステップＳ６）。
【００４０】
尚、ＩＰ−ＰＢＸ１は上記のステップＳ３で内線登録用パスワードと判定されなかった場合、内線登録ではなく、通常のパスワード認証モードと認識し、パスワードデータベース１２１を参照して内線番号とパスワードが合致するものがあれば（図５ステップＳ７）、上記のステップＳ５へ進み、ＩＰ内線端末２の認証が行われる。また、ＩＰ−ＰＢＸ１はパスワードが合致しなければ（図５ステップＳ７）、認証失敗メッセージを送信し（図５ステップＳ８）、処理を終了する。
【００４１】
内線登録モードでは、上記のステップＳ４によって、局データ１２のＭＡＣアドレスデータベース１２２にＭＡＣアドレスが書込まれるため、ＩＰ内線端末２の次回以降の起動ではＭＡＣ認証方式での認証が可能となる。
【００４２】
このように、本実施例では、従来であれば、（１）ＩＰ内線端末からデータの読出し、（２）データを記憶、（３）専用保守端末からＩＰ−ＰＢＸへ入力という３ステップが必要な手順を、ＩＰ内線端末２からＩＰ−ＰＢＸ１へのアクセスという１ステップに集約したことによって、内線登録作業を効率化することができる。
【００４３】
また、本実施例では、ＩＰ内線端末２から送信されたデータを局データ１２へ直接登録しているので、端末データの記録／記録からの読出し時の人間の介在によるヒューマンエラーの可能性を大幅に低減することができる。この場合、本実施例では、内線登録モードがパスワード認証モードと操作性が類似しているので、新たな煩雑な手続きを行う必要がない。
【００４４】
さらに、本実施例では、内線登録を行う場合、当該内線の内線番号以外の情報（例えば、端末種別）を入力する必要がないので、経験の浅い利用者にも容易に設定することができる。
【００４５】
さらにまた、本実施例では、上記の登録作業を行うことによって、同一のＩＰ内線端末２の次回起動の際にＭＡＣ認証方式での認証となるので、利用者が何も入力しなくとも、登録した内線番号でＩＰ内線端末２を起動することができることになり、利用者の利便性向上へつながる。
【００４６】
本実施例では、ＩＰ内線端末２から直接登録・削除作業を行うことができるので、専用保守端末３−１，３−２の操作者である保守者に依頼せずに、利用者が直接登録・削除を行うことができる。
【００４７】
図６は本発明の他の実施例による端末認証方法の処理動作を示すフローチャートである。本発明の他の実施例は上記の図１及び図２に示す本発明の一実施例によるＩＰ−ＰＢＸシステム、ＩＰ−ＰＢＸ１と同様の構成となっているので、その説明については省略する。
【００４８】
本実施例は内線登録だけでなく、登録の削除、変更を行えるように、さらに工夫している。以下の説明では、上記の本発明の一実施例との比較のため、内線削除モード、内線変更モードと呼ぶことにする。
【００４９】
ＩＰ−ＰＢＸ１には予め専用保守端末３−１，３−２を用いて、図３に示すような内線削除用のパスワード「４００１」をパスワードデータベース１２１に設定しておく。ＩＰ内線端末２はパスワード認証モードに設定し、削除したい内線番号「２００１」、パスワードを内線削除用の「４００１」に設定し、ＩＰ−ＰＢＸ１に対して認証要求信号を送信する。
【００５０】
ＩＰ−ＰＢＸ１は認証要求信号が通知されると（図６ステップＳ１１）、認証モードがパスワード認証モードかどうかを判断する（図６ステップＳ１２）。ＩＰ−ＰＢＸ１はパスワード認証モードと判断すると、パスワードデータベース１２１を参照し、受信信号中のパスワードが内線削除用パスワードであるかどうかを判断する（図６ステップＳ１３）。
【００５１】
ＩＰ−ＰＢＸ１は内線削除用パスワードであった場合、局データ１２に含まれるＭＡＣアドレスデータベース１２２から該当するＭＡＣアドレス・内線番号・サービスクラスを検索し、削除する（図６ステップＳ１４）。続いて、ＩＰ−ＰＢＸ１は一時記憶データ１３に含まれるＩＰ端末情報データベース１３１を検索し、データが存在する場合、ＩＰ内線端末２のＩＰアドレスを削除する（図６ステップＳ１５）。
【００５２】
最後に、ＩＰ−ＰＢＸ１はＩＰ内線端末２に対し、削除成功を示す認証成功メッセージを送信する（図６ステップＳ１６）。尚、ＩＰ−ＰＢＸ１は内線削除用パスワードと判定されなかった場合（図６ステップＳ１３）、内線削除ではなく、上述した本発明の一実施例と同様に、通常のパスワード認証モードで動作する。すなわち、ＩＰ−ＰＢＸ１は、図５のステップＳ３以降の処理を行う。
【００５３】
このように、本実施例では、局データ１２の削除時にもＩＰ内線端末２からの認証要求信号を利用しているので、データ削除時にも、上述した本発明の一実施例と同様の効果が得られる。
【００５４】
また、本実施例では、パスワードデータベース１２１への登録を上書き可能であるように定義すれば、ＩＰ内線端末２からの操作で登録内容の変更を行うことができる。
【００５５】
さらに、本実施例では、パスワードデータベース１２１に登録変更用パスワードを定義することによっても、ＩＰ内線端末２からの操作で登録内容の変更を行うことができる。
【図面の簡単な説明】
【００５６】
【図１】本発明の一実施例によるＩＰ−ＰＢＸシステムの構成を示すブロック図である。
【図２】図１のＩＰ内線端末登録制御部の構成を示すブロック図である。
【図３】図２のパスワードデータベースの構成例を示す図である。
【図４】図２のＭＡＣアドレスデータベースの構成例を示す図である。
【図５】本発明の一実施例による端末認証方法の処理動作を示すフローチャートである。
【図６】本発明の他の実施例による端末認証方法の処理動作を示すフローチャートである。
【図７】従来例による端末認証方法の処理動作を示すフローチャートである。
【符号の説明】
【００５７】
１  ＩＰ−ＰＢＸ
２  ＩＰ内線端末
３−１，３−２  専用保守端末
１１  ＩＰ内線端末登録制御部
１２  局データ
１３  一時記憶データ
１４  記録媒体
１１１  信号受信部
１１２  パスワード解析部
１１３  情報登録部
１２１，１２１ａ  パスワードデータベース
１２２，１２２ａ  ＭＡＣアドレスデータベース
１３１  ＩＰ端末情報データベース
【図１】
2005117355.tif 000003
【図２】
2005117355.tif 000004
【図３】
2005117355.tif 000005
【図４】
2005117355.tif 000006
【図５】
2005117355.tif 000007
【図６】
2005117355.tif 000008
【図７】
2005117355.tif 000009